(57)【要約】【課題】  より高精度のピント合わせが可能であり、カメラの撮影性能の向上化を図ることのできるズームレンズ付きカメラの製造方法を提供すること。【解決手段】  ズームレンズの焦点距離情報と、カメラに内蔵されたメモリに記憶してある情報とに基づいて、上記ズームレンズ内の合焦レンズの、通常待機させておく所定の位置であるところの初期位置から、被写体に合焦する位置までの移動量を算出するカメラの製造方法において、ズームレンズの焦点距離毎の、初期位置から基準位置までの合焦レンズ移動量を測定する第１ステップと、上記第１ステップの測定結果に基づいて、特定の焦点距離を決定する第２ステップと、上記第２ステップで決定された特定の焦点距離と、この特定の焦点距離における上記合焦レンズ移動量を補正するための調整値とを、カメラ内のメモリに記憶する第３ステップと、を含むことを特徴とするカメラの製造方法である。【選択図】図１
2008026923.tif 000002
【特許請求の範囲】
【請求項１】
ズームレンズの焦点距離情報と、カメラに内蔵されたメモリに記憶してある情報とに基づいて、上記ズームレンズ内の合焦レンズの、通常待機させておく所定の位置であるところの初期位置から、被写体に合焦する位置までの移動量を算出するカメラの製造方法において、
ズームレンズの焦点距離毎の、初期位置から無限遠被写体に合焦する位置であるところの基準位置までの合焦レンズ移動量を測定する第１ステップと、
上記第１ステップの測定結果に基づいて、特定の焦点距離を決定する第２ステップと、
上記第２ステップで決定された特定の焦点距離と、この特定の焦点距離における上記合焦レンズ移動量を補正するための調整値とを、カメラに内蔵されたメモリに記憶する第３ステップと、
を含むことを特徴とするカメラの製造方法。
【請求項２】
上記第２ステップは、上記合焦レンズ移動量の微分値がゼロになったところの焦点距離及び、上記ズームレンズのワイド端及びテレ端を特定の焦点距離とする、ことを特徴とする請求項１に記載のカメラの製造方法。
【請求項３】
上記第３ステップは、上記特定焦点距離に対応する、初期位置から基準位置までの合焦レンズ移動量を上記調整値としてカメラに内蔵されたメモリに記憶する、ことを特徴とする請求項１乃至２に記載のカメラの製造方法。
【発明の詳細な説明】
【技術分野】
【０００１】
本発明は、ズームレンズ付きカメラの製造方法に関し、より詳しくは、ズーム位置によってピント合わせ位置が変化するズームレンズ付きカメラの製造方法に関する。
【背景技術】
【０００２】
従来、ズームレンズを備えるカメラでは、ズームレンズ鏡筒（鏡枠）内に複数のレンズ群を有し、各レンズ群の間隔を変化させることにより焦点距離を変更し、任意の像倍率で撮影が行えるような構造を有している。また、ズームレンズでは、ズーミング動作（焦点距離変更動作）をしたときに、いずれの焦点距離の位置にあってもピント面は常に一定でなくてはならない。
【０００３】
このようなズームレンズは、例えば、回転枠が所要の方向に回転されると、直進ヘリコイド機構によりレンズ枠に固定されている一つのレンズ群が光軸方向に繰り出し、あるいは繰り込まれると共に、回転枠に連動するカム溝の回転によりこのレンズ群と他のレンズ群との間隔を変化させることで、焦点距離を変更し、所定の像倍率によるズーミング撮影を可能としている。
【０００４】
また、フォーカシング動作（合焦動作）を行わせる場合は、上記レンズ群の内の一方を直進駆動させることでレンズ群間隔を微妙に変化させて、焦点位置をフィルム面や撮像素子面等の撮像面に移動させるようになっている。フォーカシング動作を行う際に駆動されるレンズ群を合焦レンズという。
【０００５】
このようなズームレンズ付きカメラにおいては、同一被写体距離であっても焦点距離が異なると合焦レンズの繰り出し位置が異なるので、焦点距離に応じて合焦レンズの繰り出し量を変化させなければならない。
【０００６】
そこで、本出願人は、特公平７−９５１３７号公報に記載のズームレンズ付きカメラの焦点補正装置を提案している。この提案による焦点補正装置では、各焦点距離に対する無限時から至近時までの繰り出し量のカーブをそれぞれＣＰＵ内のＲＯＭに記憶させておき、焦点距離及び被写体距離の各データより合焦レンズの繰り出し量を算出するようにし、さらには、レンズ組立時のバラツキやレンズ部品寸法のバラツキに起因して生ずるズレデータを、予め定められた焦点距離毎に記憶するＥＥＰＲＯＭを持つことで対応するようにしている。
【０００７】
ところで、最近のカメラの小型、高倍率化に伴い、レンズ群間隔の変化による焦点位置変化の割合であるＦＣ感度が高いレンズ構成となっている。このようななＦＣ感度の高いレンズ構成では、レンズ群を支持しているヘリコイド機構、あるいはカム溝のわずかな凹凸によって焦点位置が大きく変化してしまう虞れがある。
【特許文献１】特公平７−９５１３７号公報
【発明の開示】
【発明が解決しようとする課題】
【０００８】
上記の如く、上記従来の特公平７−９５１３７号公報に開示されているズームレンズ付きカメラの焦点補正装置では、ＥＥＰＲＯＭに記憶されているデータは予め定められた複数の焦点距離における合焦レンズのズレデータのみであり、前述したように最近のＦＣ感度の高いレンズ構成では、カム溝のわずかな凹凸によって焦点位置が変化してしまう虞れがあるため、設計段階で、どの焦点距離位置のデータを記憶させれば良いかを決定することは困難となり、予め定められた焦点距離毎のデータでは対応しきれないという問題点があった。
【０００９】
そこで、本発明は上記問題点に鑑みてなされたもので、より高精度のピント合わせが可能であり、カメラの撮影性能の向上化を図ることのできるズームレンズ付きカメラの製造方法を提供することを目的とする。
【課題を解決するための手段】
【００１０】
請求項１に記載のカメラの製造方法は、ズームレンズの焦点距離情報と、カメラに内蔵されたメモリに記憶してある情報とに基づいて、上記ズームレンズ内の合焦レンズの、通常待機させておく所定の位置であるところの初期位置から、被写体に合焦する位置までの移動量を算出するカメラの製造方法において、ズームレンズの焦点距離毎の、初期位置から基準位置までの合焦レンズ移動量を測定する第１ステップと、上記第１ステップの測定結果に基づいて、特定の焦点距離を決定する第２ステップと、上記第２ステップで決定された特定の焦点距離と、この特定の焦点距離における上記合焦レンズ移動量を補正するための調整値とを、カメラ内のメモリに記憶する第３ステップと、を含むことを特徴とするカメラの製造方法である。
【発明の効果】
【００１１】
以上述べたように、本発明によれば、より高精度のピント合わせが可能であり、カメラの撮影性能の向上化を図ることのできるズームレンズ付きカメラの製造方法を提供することができる。
【発明を実施するための最良の形態】
【００１２】
発明の実施の形態について図面を参照して説明する。
図１は、本発明に係るズームレンズ付きカメラの製造方法の一実施の形態例を示し、該カメラの電気的構成を示すブロック図である。
【００１３】
図１に示すように、本実施の形態のズームレンズ付きカメラには、制御手段としてのＣＰＵ１を備え、該ＣＰＵ１は、本実施の形態のカメラシステム全体の各種制御を行うマイクロコンピュータである。
【００１４】
上記ＣＰＵ１には、ＥＥＰＲＯＭ２、ＥＸＴ端子３、ＰＷＳＷ４、ＢＫＳＷ５、ＲＷＳＷ６、１ＲＳＷ７、２ＲＳＷ８、ＺＵＳＷ９、ＺＤＳＷ１０、ＬＣＤ１１、ストロボ回路部１２、測距回路部１５、測光回路部２０、ズーミング駆動回路部２３、ズーミング駆動信号検出回路部２５、フォーカシング駆動回路部２６、フォーカシング駆動信号検出回路部２８、シャッター駆動回路部２９、シャッター駆動信号検出回路部３１、フィルム給送駆動回路部３２、フィルム移動量検出回路部３４及びフィルム情報検出回路部３５がそれぞれ接続されている。
【００１５】
ＥＥＰＲＯＭ２は、カメラを制御する上で必要なパラメータやカメラ状態を記憶するための記憶手段としての不揮発性メモリーである。
ＥＸＴ端子３は、カメラ動作や性能保証のために、カメラの組立製造時に行われる各種調整を実行する際に、カメラを外部から制御するための外部通信端子である。自動調整機などの外部装置は、上記ＥＸＴ端子３を介してカメラと接続され、カメラ内のＥＥＰＲＯＭ２に調整値等の書込が可能となっている。また、上記ＥＸＴ端子３は、カメラが完成し、撮影に使用する際には、外部ストロボやカードメモリ等のアクセサリとの通信に使用される。
【００１６】
ＰＷＳＷ４は、カメラの電源オン，オフを行うためのスイッチであって、オン状態が電源オンであることを示し、オフ状態が電源オフ状態であることを示す。  ＢＫＳＷ５は、フィルムの装填、取り出しを行うための図示しないアトブタの開、閉状態を検出するためのスイッチであって、オン状態がアトブタ開状態を示し、オフ状態がアトブタ閉状態を示す。
【００１７】
ＲＷＳＷ６は、通常オフ状態であって、オン操作されることでフィルムの強制巻き戻しを実行するためのスイッチである。
１ＲＳＷ７は、通常オフ状態であって、オン操作されることで、露出準備動作である測距動作及び測光動作を開始させるためのスイッチである。測距動作とは被写体距離情報を生成する動作であり、測光動作とは被写体輝度情報を生成する動作である。
【００１８】
２ＲＳＷ８は、通常オフ状態であって、オン操作されることで、露出動作を開始させるためのスイッチである。なお、上記１ＲＳＷ７と２ＲＳＷ８とで２段スイッチを構成しており、１ＲＳＷ７がオンした後、２ＲＳＷがオンするようになっている。
【００１９】
ＺＵＳＷ９は、通常オフ状態であって、オン操作されることで、望遠側（テレ側）へ焦点距離を変化させるようにズームレンズのズーミング駆動を開始させるためのスイッチである。
【００２０】
ＺＤＳＷ１０は、通常オフ状態であって、オン操作されることで、広角側（ワイド側）へ焦点距離を変化させるようにズームレンズのズーミング駆動を開始させるためのスイッチである。
【００２１】
ＬＣＤ１１は、カメラのモード表示、駒数表示などの動作状態を示す情報を視覚的に表示するための外部表示手段であり、該ＬＣＤ１１の各種情報に基づく表示は、上記ＣＰＵ１によって表示制御されるようになっている。
【００２２】
ストロボ回路部１２には、露出を適正に保つため、被写体を照明するための、光源であるＸｅ管１３と、照明のための電気的エネルギーを蓄積するメインコンデンサ１４とが接続されている。
【００２３】
測距回路部１５には、赤外発光ダイオード１６及び受光素子１８が接続されている。上記赤外発光ダイオード１６からの光が投光レンズ１７を介して被写体３７に照射され、さらに該被写体３７からの反射光が受光レンズ１９を介して受光素子１８にて受光されることにより、測距回路部１５はカメラから被写体までの距離を、三角測距の原理に従い測定する。上記測距回路１５、赤外発光ダイオード１６、投光レンズ１７、受光素子１８および受光レンズ１９が、本発明の測距手段の主構成要素である。なお、測距手段としてはアクティブ方式、パッシブ方式、位相差方式、光量検出方式などを使うものであってもよい。
【００２４】
測光回路部２０には、受光素子２１が接続されている。測光回路部２０では、この受光素子２０近傍に配置された測光レンズ２２を介して入射する被写体付近の光量を受光素子２０で検出し、露出条件を決定するための被写体輝度が測定される。
【００２５】
ズーミング駆動回路部２３は、上記ＣＰＵ１からの制御によってズームモータ２４を駆動するもので、図示しないギヤ列を介して、図示しない撮影レンズ（ズームレンズ）の変倍光学系に回転力が伝達されることで、ズーミング動作を行う。具体的には、ズームレンズを構成する複数のレンズ群の群間隔を変更することにより、ズームレンズの焦点距離を変化させる。
【００２６】
ズーミング駆動信号検出回路部２５は、上記ズームモータ２４の回転量に対応したパルス信号を生成し、上記ＣＰＵ１へ該パルス信号を伝達する。これを受けＣＰＵ１は、このパルス信号をカウントすることで、焦点距離に対応したデータを生成する。
【００２７】
フォーカシング駆動回路部２６は、ＣＰＵ１からの制御によって、フォーカシングモータ２７を駆動するもので、図示しないギヤ列を介して、図示しない合焦光学系に回転力が伝達されることで、フォーカシング動作を行う。具体的には、合焦光学系としての合焦レンズを光軸方向に駆動して、焦点位置（合焦位置）を撮像面に合致させる。
【００２８】
フォーカシング駆動信号検出回路部２８は、上記フォーカシングモータ２７の回転量に対応したパルス信号を生成し、上記ＣＰＵ１へ該パルス信号を伝達する。これを受けＣＰＵ１は、このパルス信号の数と周期を検出することで、合焦レンズを合焦位置に正確に停止させるための制御を行う。
【００２９】
シャッター駆動回路部２９は、上記ＣＰＵ１からの制御によって、図示しないシャッターを駆動するためのプランジャ３０への通電制御を行う。該プランジャ３０への通電時間を上記ＣＰＵ１が制御することにより、露光量の制御を行っている。
【００３０】
シャッター駆動信号検出回路部３１は、上記プランジャ３０への通電時間を制御するための基準タイミングを図示しないシャッター動作に連動して生成し、ＣＰＵ１に伝達する。
【００３１】
フィルム給送駆動回路部３２は、上記ＣＰＵ１からの制御によってフィルム給送モータ３３を駆動するもので、フィルムの巻き上げ、巻き戻しを行う。
フィルム移動量検出回路部は、図示しないフィルムに形成されたパーフォレーションを検出することによりフィルムの給送状態を検知し、検知結果をＣＰＵ１に伝達する。
【００３２】
フィルム情報検出回路部３５は、フィルムカートリッジ３６に設けられたＩＳＯ感度情報を読み取り、ＣＰＵ１に伝達する。
次に、本実施の形態のカメラの動作について図２を参照しながら詳細に説明する。図２は本発明のカメラに搭載されたＣＰＵにより実行されるメインルーチンを示すフローチャートである。
【００３３】
いま、図１に示すカメラの上記ＰＷＳＷ４をオン、又は電池装填によりカメラの電源が投入されたものとする。すると、図１に示すカメラのＣＰＵ１は、図２に示すメインルーチン（ＰＷＲＳＴ）を起動し、つまり、ステップＳ０から動作を開始する。
【００３４】
まず、ＣＰＵ１は、動作を開始すると、ステップＳ１に処理を移行し、該ステップＳ１にて初期設定を行う。この場合、初期設定とは、前述したＣＰＵ１の初期化を行う処理であり、例えば各入出力ポート、ＲＡＭなどの初期化などが行われるようになっている。
【００３５】
その後、ＣＰＵ１は処理をステップＳ２に移行し、該ステップＳ２にて、前述したＥＸＴ端子３によってアクセサリーとの外部通信を行うように制御し、処理を次のステップＳ３に移行する。
【００３６】
ステップＳ３の処理では、ＣＰＵ１１は、ＥＥＰＲＯＭ２に格納されているデータの読み出しを行い、前述したＣＰＵ１内部のＲＡＭに格納するように制御し、処理をステップＳ４の判断処理へと移行する。上記データとしては、後述する調整位置焦点距離データ（表１参照）や基準位置調整値（表２参照）等がある。
【００３７】
ステップＳ４の判断処理では、前述したＢＫＳＷ５の状態が変化したかどうかの判断を行い、変化しているものと判断した場合にはステップＳ５に処理を移行し、変化してないものと判断した場合にはステップＳ９に処理を移行する。
【００３８】
ＢＫＳＷ５の状態が変化したと判断した場合、ＣＰＵ１は、ステップＳ５の判断処理にて現在のＢＫＳＷ５の状態がオフ状態であるかどうかの判断を行い、オフ状態ではない場合にはステップＳ６に処理を移行する。この場合、ＢＫＳＷ５の状態が変化していて、さらに、現在の状態がオンであるので、ＢＫＳＷ５はオフからオンに変化したことになる。つまり、アトブタが閉の状態から開の状態になったことを示す。よって、ＣＰＵ１は、ステップＳ６による処理にて、”１”であるときにアトブタが閉状態であることを示すフラグＦ＿ＢＫＣＬＯＳに０をセットし開状態であることを記憶し、ステップＳ９に処理を移行する。
【００３９】
一方、ステップＳ５の判断処理でＢＫＳＷ５の状態がオフ状態であった場合には、ＣＰＵ１は、処理をステップＳ７に移行し、該処理にて、前述したフラグＦ＿ＢＫＣＬＯＳに”１”をセットしアトブタが閉状態であることを記憶し、続くステップＳ８に処理では、アトブタが開状態から閉状態へと変化したときであるので、フィルムがセットされた可能性があるため、該処理にてオートロード処理を行い、処理をステップＳ９に移行する。
【００４０】
上記ステップＳ４の判断処理でＢＫＳＷ５が変化していなかった場合には、ＣＰＵ１はステップＳ９の処理にて、”１”であるときに、１駒巻き上げが必要であることを示すフラグＦ＿ＷＮＤＲＥＱの状態を判断する。つまり、Ｆ＿ＷＮＤＲＥＱの状態が”１”である場合には、ＣＰＵ１は、処理をステップＳ１０に移行し、該処理にて１駒巻き上げ動作を行い、処理をステップＳ１１の判断処理に移行する。
【００４１】
ＣＰＵ１は、ステップＳ１１の判断処理にて、上記ステップＳ１０の処理での１駒巻き上げ中にフィルムエンドが検出されたかどうかの判断を行い、フィルムエンドが検出されていない場合には、処理をステップＳ１３に移行し、フィルムエンドが検出された場合には、処理をステップＳ１２に移行する。
【００４２】
ステップＳ１２の処理では、フィルムエンドが検出された場合であるので、巻き戻し動作が必要となることから、ＣＰＵ１は、巻き戻しが必要であることを示すフラグＦ＿ＲＷＲＥＱに”１”をセットし、処理をステップＳ１３に移行する。
【００４３】
上記ステップＳ９の判断処理で、ＣＰＵ１は、前述したＦ＿ＷＮＤＲＥＱの状態が”０”であると判断した場合には、処理をステップＳ１３に移行する。
ステップＳ１３の判断処理では、ＣＰＵ１は、前述したフラグＦ＿ＲＷＲＥＱの状態を判断し、Ｆ＿ＲＷＲＥＱが”１”であると判断した場合には巻き戻しが必要な場合であるので、続くステップＳ１４の処理にて進み巻き戻し処理を行い、その後、処理をステップＳ１５に移行する。
【００４４】
また、上記ステップＳ１３の判断処理にで、ＣＰＵ１は、Ｆ＿ＲＷＲＥＱが”０”と判断した場合には巻き戻しが不要の場合であるので、処理をステップＳ１５に移行する。
【００４５】
ステップＳ１５の判断処理では、ＣＰＵ１は、ＰＷＳＷ４の状態を判断し、ＰＷＳＷ４の状態がオフ状態であると判断した場合にはパワーオフ状態であることを示すので、続くステップＳ１７の処理にて撮影レンズ鏡枠をカメラ本体内に収納する沈胴処理を行い、次のステップＳ１８の処理にてＬＣＤ１１をオフ状態にする表示ＯＦＦ処理を行うように制御する。
【００４６】
その後、ＣＰＵ１は、ステップＳ１９の処理にて、該ＣＰＵ１の動作を停止させる処理を行い、該ＣＰＵ１の動作をストップ状態に移行させる。このストップ状態から復帰させるためには、ＰＷＳＷ４、ＢＫＳＷ５、ＲＷＳＷ６の操作により、本ルーチンの先頭であるステップＳ０からＣＰＵ１の動作が再開することになる。
【００４７】
一方、上記ステップＳ１５の判断処理にて、ＣＰＵ１は、ＰＷＳＷ４がオン状態であると判断した場合にはパワーオン状態を示すので、続くステップＳ１６にて鏡枠を撮影状態であるワイド位置に移動させるセットアップ処理を行うように制御した後、処理をステップＳ２０に移行する。
【００４８】
ステップＳ２０の処理では、ＣＰＵ１は、ＰＷＳＷ４、ＢＫＳＷ５、ＲＷＳＷ６、１ＲＳＷ７、２ＲＳＷ８、ＺＵＳＷ９、ＺＵＳＷ１０の各スイッチの状態変化及び、現在の状態の検出を行い、続くステップＳ２１の処理にてＬＣＤ１１を動作させ、必要な表示を行う表示ＯＮ処理を実行するように制御する。
【００４９】
その後、ＣＰＵ１は、続くステップＳ２２の判断処理にてＰＷＳＷ４の状態が変化したかどうかを判断し、変化したと判断した場合には処理をステップＳ２５に移行し本ルーチンの先頭であるＰＷＲＳＴ（ステップＳ０）にジャンプする。
【００５０】
上記ステップＳ２２の判断処理において、ＰＷＳＷ４の状態が変化していなかったものと判断した場合には、ＣＰＵ１は、処理をステップＳ２３に移行し該処理にてＢＫＳＷ５の状態が変化したかどうかの判断を行う。ＢＫＳＷ５の状態が変化していると判断した場合には、ＣＰＵ１は、処理をステップＳ２５に移行し、上記同様に本ルーチンの先頭であるＰＷＲＳＴ（ステップＳ０）にジャンプする。
【００５１】
ステップＳ２３の判断処理において、ＢＫＳＷ５の状態が変化していないものと判断した場合には、ＣＰＵ１は、処理をステップＳ２４に移行し、該処理にてＲＷＳＷ６の状態が変化したかどうかの判断を行う。ＲＷＳＷ６の状態が変化しているものと判断した場合には、ＣＰＵ１は、処理をステップＳ２６に移行し、該処理にてＲＷＳＷ６の状態が現在オン状態であるかどうかの判断を行う。ＲＷＳＷ６の状態がオン状態であると判断した場合には、ＣＰＵ１は、処理をステップＳ２７に移行する。
【００５２】
ステップＳ２７の判断処理では、ＣＰＵ１は、現在のアトブタの状態を示すフラグＦ＿ＢＫＣＬＯＳの状態を判断し、Ｆ＿ＢＫＣＬＯＳが”１”であるものと判断した場合には、処理をステップＳ２８に移行する。Ｆ＿ＢＫＣＬＯＳが”１”であるときは、アトブタ状態が閉状態であることを示すので、ここでは、アトブタが閉状態であるときに、ＲＷＳＷ６がオフ状態からオン状態に変化したときである。すなわち、巻き戻し処理が必要な場合であるので、ＣＰＵ１は、ステップＳ２８の処理にて巻き戻し処理が必要であることを示すフラグＦ＿ＲＷＲＥＱに”１”をセットし、処理をステップＳ９に戻す。すると、前述した通り、ステップＳ１３の判断でステップＳ１４への分岐が行われ巻き戻し処理が実行されることになる。
【００５３】
上記ステップＳ２７の判断処理において、Ｆ＿ＢＫＣＬＯＳが”０”であると判断した場合、または、上記ステップＳ２６の判断処理において、ＲＷＳＷがＯＦＦであると判断した場合、または、上記ステップＳ２４の判断処理において、ＲＷＳＷ６の状態が変化していないものと判断した場合には、巻き戻し処理を必要としないので、ＣＰＵ１は、処理をステップＳ２９に移行させる。
【００５４】
ステップＳ２９の処理にて、ＣＰＵ１は、前述したストロボ回路部１２を動作させ、メインコンデンサ１４にストロボ発光用のエネルギーの充電を行うように制御し、その後処理をステップＳ３０に移行する。
【００５５】
ステップＳ３０の処理にて、ＣＰＵ１は、上記ステップＳ２の処理と同様に外部通信を行うための処理を実行するように制御し、処理をステップＳ３１に移行する。  ステップＳ３１の判断処理では、ＣＰＵ１は、１ＲＳＷ７がオフ状態からオン状態に変化したかどうかを判断し、オフ状態からオン状態に変化したと判断した場合には、続くステップＳ３２の処理にて露出準備動作及び、露出動作を行うレリーズ処理を行う。レリーズ処理については後述する（図３参照）。
【００５６】
例えば、上記レリーズ処理中に露出動作が行われた場合には、ＣＰＵ１は、レリーズ処理中に巻き上げ動作が必要であることを示すフラグＦ＿ＷＮＤＲＥＱに”１”をセットし、このＦ＿ＷＮＤＲＥＱの状態に従った処理を行わせるために、レリーズ処理実行後、処理をステップＳ９に戻し、該処理にて、前述した通り、Ｆ＿ＷＮＤＲＥＱが”１”である場合はステップＳ１０に移行して１駒巻き上げ動作を実行するように制御する。
【００５７】
ステップＳ３１の判断処理において、１ＲＳＷ７がオフ状態からオン状態に変化していないものと判断した場合には、ＣＰＵ１は、処理をステップＳ３３に移行し、この判断処理にてＺＵＳＷ９、ＺＤＳＷ１０のいずれかがオフ状態からオン状態に変化したかどうかを判断する。ＺＵＳＷ９、ＺＤＳＷ１０のいずれかがオフ状態からオン状態に変化したと判断した場合には、ＣＰＵ１は、続くステップＳ３４の処理にてズーミング駆動回路部２３を制御し、ズーミング制御動作を行うズーム駆動処理を実行した後、処理を上記ステップＳ２０に戻す。
【００５８】
また、ステップＳ３３の判断処理において、ＺＵＳＷ９、ＺＤＳＷ１０のいずれもオフ状態からオン状態に変化していないものと判断した場合には、ＣＰＵ１は、処理をステップＳ２０に戻す。つまり、処理を上記ステップＳ２０に戻すことにより、前述した処理を繰り返すことになり、メインループを形成している。
【００５９】
次に、前述したステップＳ３２によるレリーズ処理の詳細を、図３を参照しながら詳細に説明する。図３は、図２に示すレリーズ処理のサブルーチンを示すフローチャートである。
【００６０】
いま、ＣＰＵ１が図２に示すメインルーチン上の上記ステップＳ３２によるレリーズ処理を実行したものとする。すると、ＣＰＵ１は、図３に示すレリーズ処理のサブルーチンを起動し、つまり、ステップＳ４０からレリーズ処理が開始される。
【００６１】
まず、ＣＰＵ１は、ステップＳ４１による測距処理を実行する。この測距処理では測距回路部１５を制御し、前述したように被写体までの距離を測定する。ＣＰＵ１は、測定された結果を距離の逆数に比例したデータとして、ＣＰＵ１内のＲＡＭであるＬＤＡＴＡに記憶するように制御する。つまり、測距手段により被写体距離情報を生成する。
【００６２】
その後、ＣＰＵ１１は、続くステップＳ４２による測光処理を実行する。該測光処理では測光回路部２２を制御して、被写体輝度を測定し、処理をステップＳ４３に移行する。
【００６３】
ステップＳ４３の処理では、ＣＰＵ１は、合焦させるために必要な合焦レンズの繰り出し量の演算を行うレンズ繰り出し量演算を実行する。このレンズ繰り出し量演算処理については、後で詳細に説明することとする（図４〜図６参照）。
【００６４】
そして、上記レンズ繰り出し演算処理実行後、ＣＰＵ１は、処理を続くステップＳ４４に移行し、該ステップＳ４４による露光量演算処理を実行する。このステップＳ４４による露光量演算処理では、ＣＰＵ１は、上記ステップＳ４２で測定された被写体輝度に基づいて、シャッター制御時間及び、ストロボ発光量の演算を行うように制御する。
【００６５】
次に、ＣＰＵ１は、続くステップＳ４５の処理にて、１ＲＳＷ７、２ＲＳＷ８の状態を検出するＳＷ読み込み処理を行うように制御する。ここで読み込まれた１ＲＳＷ７、２ＲＳＷ８の状態は、続くステップＳ４６、ステップＳ４７の判断処理により判断されることになる。
【００６６】
まず、ＣＰＵ１は、ステップ４６の判断処理にて１ＲＳＷ７がオフされたかどうかを判断し、１ＲＳＷ７がオフされているものと判断した場合には、２ＲＳＷ８がオンされずにオフされたことになるので、レリーズ動作を終了するため、処理をステップＳ５２に移行し該処理にてレリーズ処理を終了させる。一方、１ＲＳＷ７がオフされていないものと判断した場合には、１ＲＳＷ７のオン状態が継続されている場合なので、処理をステップＳ４７に移行し、該処理にて２ＲＳＷ８の状態を判断する。
【００６７】
ＣＰＵ１は、ステップＳ４７の判断処理において、２ＲＳＷ８がオン状態ではないと判断した場合には、再びステップＳ４５に処理を戻し、ＳＷ読み込み処理を行うように制御する。また、このステップＳ４７の判断処理において、ＣＰＵ１は、２ＲＳＷ８がオン状態であると判断した場合には、露出動作を開始する必要があるので次のステップＳ４８に処理を移行する。
【００６８】
以上、説明したように上記ステップＳ４５から上記ステップＳ４７までの処理によって、１ＲＳＷ７がオフ状態になるか、２ＲＳＷ８がオン状態になるまで、上記ステップＳ４５から上記ステップＳ４７までの処理を繰り返して行うことになる。
【００６９】
ステップＳ４８の処理では、ＣＰＵ１は、上記ステップＳ４３で演算された、合焦レンズの駆動量（繰り出し量）に従い、合焦レンズの繰り出し制御を実行して、撮影レンズを合焦状態にする。
【００７０】
その後、ＣＰＵ１は、続くステップＳ４９の処理にて、上記ステップＳ４４で演算された、シャッター制御時間と、ストロボ発光量に従い、露出動作を行うように制御した後、続くステップＳ５０の処理にて、露出動作が終了しているので、合焦レンズを初期位置に戻すレンズ位置リセット制御を行うように制御する。この初期位置とは、合焦レンズを通常待機させておく所定の位置である。
【００７１】
そして、ＣＰＵ１は、続くステップＳ５１の処理にて、露出終了している撮影駒を巻き上げるため、巻き上げ制御が必要であることを示すフラグＦ＿ＷＮＤＲＥＱに”１”をセットした後、続くステップＳ５２の処理にてレリーズ処理を終了し、リターンする。
【００７２】
次に、図４、図５、図６、表１、表２、表３を参照しながら、図３のステップＳ４３処理で実行されるレンズ繰り出し量演算処理を詳細に説明する。
図４は、図３に示すレンズ繰り出し量演算処理のサブルーチンを示すフローチャートである。
【００７３】
いま、ＣＰＵ１が図３に示すレリーズ処理サブルーチン上の上記ステップＳ４３によるレンズ繰り出し量演算処理を実行したものとする。すると、ＣＰＵ１は、図４に示すレンズ繰り出し量演算処理のサブルーチンを起動し、つまり、ステップＳ６０からレンズ繰り出し量演算処理が開始される。
【００７４】
まず、ＣＰＵ１は、ステップＳ６１の処理にて、上記初期位置から基準位置への合焦レンズの繰り出し量を算出する基準位置繰り出し量算出を実行する。ここでの基準位置とは、無限遠の被写体に対して合焦するための、合焦レンズの位置である。また繰り出し量とは、合焦レンズの通常待機位置である初期位置からの繰り出し量に相当する。ここで、該ステップＳ６１の基準位置繰り出し量の算出処理の詳細について、下記に示す表１、表２及び図５を用いて説明する。
【００７５】
【表１】
2008026923.tif 000003
【００７６】
【表２】
2008026923.tif 000004
【００７７】
表１は、調整位置焦点距離データ群を示し、表２は、上記表１の各焦点距離位置に対応する調整位置調整値群を示している。ここで言う調整位置とは、前述した、基準位置をカメラ組立製造時に調整を行った焦点距離のことである。
【００７８】
本実施の形態では、上記表１に示すように調整位置焦点距離データとしてｆｐ（０）からｆｐ（１５）までの１６種類の焦点距離データをＥＥＰＲＯＭ２内部に記憶できるようになっており、これらの調整位置焦点距離データは、ＣＰＵ１による、図２のステップＳ３の処理によって、ＥＥＰＲＯＭ２からＣＰＵ１内部のＲＡＭに読み込まれることになる。
【００７９】
上記表１に示すｆｐ（０）からｆｐ（１５）までのそれぞれの調整位置焦点距離に対応する基準位置調整値は、表２に示すようにＳＰ（０）からＳＰ（１５）までの１６種類記憶できるようになっており、焦点距離ｆｐ（ｏ）での基準位置調整値はＳＰ（０）に対応し、ｆｐ（１）での基準位置調整値はＳＰ（１）に対応する、というように１対１にそれぞれ対応している。
【００８０】
基準位置調整値ＳＰ（０）からＳＰ（１５）は、カメラ組立製造時に、前述したｆｐ（０）からｆｐ（１５）のデータと共にＥＥＰＲＯＭ２に記憶される。記憶されていない焦点距離での基準位置調整値は、記憶されているデータを基に直線補間演算によって求めるようになっている。
【００８１】
以下、ズーミング駆動信号検出回路２５から出力された現在の焦点距離データ（焦点距離情報）をｆｐ、求める基準位置（ズームレンズの現在の焦点距離において、無限遠の被写体に対して合焦するための合焦レンズの位置）をＳＰとして、図５の基準位置繰り出し量算出処理について詳細に説明する。
【００８２】
図５は、図４のステップＳ６１に示す基準位置繰り出し量算出処理のサブルーチンを示すフローチャートである。
いま、ＣＰＵ１が図４に示すレンズ繰り出し量演算処理サブルーチン上の上記ステップＳ６１を実行すると、図５に示す基準位置繰り出し量算出処理のサブルーチンを起動し、つまり、ステップＳ７０の処理にて初期位置から基準位置への合焦レンズの繰り出し量算出の処理が開始される。
【００８３】
まず、ＣＰＵ１は、ステップＳ７１の処理にて、現在の焦点距離ｆｐが表１に示す調整位置焦点距離データ群の中のどの位置にあるかを調べるためのカウンター”ｎ”を０に初期化し、処理を続くステップＳ７１の判断処理に移行する。
【００８４】
ＣＰＵ１は、ステップＳ７２の判断処理にて、現在の焦点距離データｆｐが”ｎ＋１”番目の調整位置焦点距離データｆｐ（ｎ＋１）以下であるかどうかをチェックし、ｆｐがｆｐ（ｎ＋１）より大きいと判断した場合には、ｎの値をインクリメントし再び処理をステップＳ７２に戻す。
【００８５】
上記ステップＳ７２の判断処理にて、ｆｐがｆｐ（ｎ＋１）以下であるものと判断した場合には、ＣＰＵ１は、ｆｐの値がｆｐ（ｎ）とｆｐ（ｎ＋１）の間に存在することになり、補間演算を行うために次のステップＳ７４に処理を移行する。
【００８６】
ステップＳ７４の処理では、ＣＰＵ１は、ｆｐ（ｎ）と、対応する基準位置ＳＰ（ｎ）、ｆｐ（ｎ＋１）と、対応する基準位置ＳＰ（ｎ）、及び現在の焦点距離データｆｐを用いて、ｆｐに対応する基準位置繰り出し量ＳＰを直線補間演算により求める。
【００８７】
その後、ＣＰＵ１は、続くステップＳ７５により、該基準位置繰り出し量算出の処理を終了して、再び図４に示すレンズ繰り出し量演算処理ルーチンに処理を戻し、該ルーチン上の次のステップＳ６２へと処理を移行させる。
【００８８】
図４に示すように、次にＣＰＵ１は、ステップＳ６２の処理にて、基準位置から合焦位置（ズームレンズの現在の焦点距離において、実際の被写体に対して合焦するための合焦レンズの位置）までの繰り出し量を算出する。この場合の該ステップＳ６２による繰り出し量の算出処理の詳細を下記に示す表３及び図６を用いて説明する。
【００８９】
【表３】
2008026923.tif 000005
【００９０】
表３は、被写体距離が無限遠のとき合焦する合焦レンズの繰り出し量である基準位置から、有限距離において実際の被写体に対して合焦する位置までの合焦レンズの繰り出し量を示す。
【００９１】
被写体距離の逆数に対応したデータＬＤＡＴＡは、図３に示す上記ステップＳ４１の測距処理によって得られるデータ（被写体距離情報）である。また、被写体距離毎の繰り出し量は焦点距離毎に異なるため、基準位置から合焦位置までの繰り出し量を算出する場合、被写体距離情報と、焦点距離情報とから、繰り出し量を求める必要がある。よって、上記表３は、焦点距離データと、被写体距離データとの組み合わせによって一つの繰り出し量が決定するデータ構造になっている。
【００９２】
但し、全ての入力データに対して出力データを決定できるだけのデータを持つと、膨大なデータになってしまうため、離散的な入力値に対するデータのみがＣＰＵ１内部のＲＯＭに記憶されるようになっている。よって、中間値の入力に対しては、記憶されているデータを基にして、直線補間演算によって、出力である繰り出し量を決定する。なお、上記表３に示すデータはＥＥＰＲＯＭ２に記憶しておいてもよい。
【００９３】
図６は、図４のステップＳ６２に示す基準位置から合焦位置までの繰り出し量算出処理のサブルーチンを示すフローチャートである。ＣＰＵ１は、図４のステップＳ６２の処理を実行すると、図６に示す基準位置から合焦位置までの繰り出し量算出処理のサブルーチンを起動し、つまり、ステップＳ８０から処理を開始させる。
【００９４】
ＣＰＵ１は、続くステップＳ８１の処理にて、まず、被写体距離データであるＬＤＡＴＡが、記憶されている被写体距離データ群のどの位置にあるかを調べるためのカウンターであるＸを０に初期化し、処理をステップＳ８２の判断処理に移行する。
【００９５】
ステップＳ８２の判断処理では、ＣＰＵ１は、被写体距離データＬＤＡＴＡが記憶されている被写体距離データ群の中のＬＤＡＴＡ（Ｘ＋１）以下であるかどうかの判断を行い、ＬＤＡＴＡがＬＤＡＴＡ（Ｘ＋１）以下であるものと判断した場合には、処理をステップＳ８３に移行し、該処理にてＸの値をインクリメントして、再びステップＳ８２に処理を戻す。
【００９６】
上記ステップＳ８２の判断処理において、ＣＰＵ１は、ＬＤＡＴＡの値がＬＤＡＴＡ（Ｘ＋１）より大きいものと判断した場合には、処理をステップＳ８４に移行する。つまり、ＬＤＡＴＡの値はＬＤＡＴＡ（Ｘ）より大きいものであって、ＬＤＡＴＡ（Ｘ＋１）以下となるＸの値が決定されることになる。
【００９７】
そして、ＣＰＵ１は、続くステップＳ８４の処理にて、焦点距離データｆｐが記憶されている焦点距離データ群のどの位置にあるかを調べるためのカウンターであるＹを０に初期化し、処理をステップＳ８５の判断処理に移行する。
【００９８】
ステップＳ８５の判断処理では、ＣＰＵ１は、焦点距離データｆｐが記憶されている焦点距離データ群ｆｐＴ（Ｙ＋１）以下であるかどうかの判断を行い、ｆｐがｆｐＴ（Ｙ＋１）以下であるものと判断した場合には、Ｙの値をインクリメントして再びステップＳ８５に処理を戻す。
【００９９】
上記ステップＳ８５の判断処理において、ＣＰＵ１は、ｆｐがｆｐＴ（Ｙ＋１）より大きいものと判断した場合には、処理をステップＳ８７に移行する。つまり、ｆｐの値はｆｐＴ（Ｙ）より大きいものであって、ｆｐＴ（Ｙ＋１）以下となるＹの値が決定されることになる。
【０１００】
以上、求められたＸとＹを使用して、ＣＰＵ１は、上記表３の繰り出し量テーブルより、求める繰り出し量付近のデータを参照し、直線補間演算によって、繰り出し量を求めるように制御する。
【０１０１】
まず、ＣＰＵ１は、続くステップＳ８７の処理にて、焦点距離データｆｐ＝ｆｐＴ（Ｙ）のときの繰り出し量を直線補間によって算出し、算出結果をＯＢＪＰＬＳ１に格納するように制御する。
【０１０２】
その後、ＣＰＵ１は、続くステップＳ８８の処理にて、焦点距離データｆｐ＝ｆｐＴ（Ｙ＋１）であるときの繰り出し量を直線補間によって算出し、算出結果をＯＢＪＰＬＳ２に格納するように制御する。
【０１０３】
次に、ＣＰＵ１は、続くステップＳ８９にて、最終出力である焦点距離データｆｐに対応する基準位置から合焦位置までの繰り出し量ＯＢＪＰＬＳを、ＯＢＪＰＬＳ１とＯＢＪＰＬＳ２とから直線補間によって算出する。
【０１０４】
以上の処理を実行することにより、基準位置から合焦位置までの繰り出し量を求めることができたので、ＣＰＵ１は、続くステップＳ９０で該処理を終了し、図４のレンズ繰り出し量演算処理サブルーチンにリターンさせる。
【０１０５】
図４において、次にＣＰＵ１は、ステップＳ６３の処理にて、図５のステップＳ７４で求めた初期位置から基準位置までの繰り出し量ＳＰと、図６のステップＳ８９で求めた基準位置から合焦位置までの繰り出し量ＯＢＪＰＬＳを加算して、被写体距離データＬＤＡＴＡと焦点距離データｆｐに対応する合焦レンズの繰り出し量を演算し、リターンする（ステップＳ６４）。
【０１０６】
次に、本実施の形態におけるカメラ組立製造時の基準位置の調整方法について図７を参照しながら詳細に説明する。この調整は、カメラのＥＸＴ端子３を介して、カメラと外部装置とを通信可能になるように電気的に接続した状態で行う。
【０１０７】
図７は、本実施の形態の特徴となるカメラの組立製造時の、基準位置の調整値の決定方法を説明するため特性図である。
本実施の形態のカメラにおいては、カメラ組立製造時に、基準位置の調整を行う焦点距離データ（調整位置焦点距離データ）の決定と、上記調整位置焦点距離における基準位置調整値の決定とを行う。この場合、カメラの撮影レンズに平行光線を入射させ、焦点を結ぶ位置がフィルム面に対して前後方向のどの位置にあるかを示すΔＦＣ値の測定を行う。このΔＦＣ値を焦点距離毎に測定した結果が図７（ａ）に示されている。
【０１０８】
本実施の形態におけるカメラは、前述したようにカメラ内部のＥＥＰＲＯＭ２には、基準位置調整値を調整位置焦点距離データに対して離散的な値として記憶している。該カメラは、データを持たない焦点距離における調整値は、ＥＥＰＲＯＭ２に記憶されている基準位置調整値と、調整位置焦点距離データとに基づいて直線補間演算によって求めるようにしている。
【０１０９】
そこで、測定した各焦点距離データ毎のΔＦＣ値を基に、単位焦点距離データ当りのΔＦＣの変化量を求める。つまりΔＦＣ特性の微分値を求める。この微分値の特性を示したものが図７（ｂ）に示されている。
【０１１０】
図７（ｂ）において、ΔＦＣ特性の微分値が０となる焦点距離では、図７（ａ）のΔＦＣ特性における極値をとることになる。この極値となる焦点距離と、焦点距離範囲の両端であるワイド位置、テレ位置を基準位置の測定位置、つまり調整位置焦点距離とする。
【０１１１】
このように、少なくともΔＦＣ特性の極値を基準位置の測定位置とすることで、カメラ個々のΔＦＣ特性に合致した測定位置を決定することができる。
決定された測定位置でのΔＦＣの値から、それぞれの測定位置における合焦レンズの基準位置を求め基準位置調整値とする。そして、上記調整位置焦点距離と上記基準位置調整値とをカメラのＥＥＰＲＯＭ２に記憶させる。
【０１１２】
図７（ａ）に示すようなΔＦＣ特性を有する場合、極値を示す焦点距離データは４つであるので、まず、ｆｐ（０）としてワイド位置を示す焦点距離データを記憶させ、ｆｐ（１）からｆｐ（４）までにはそれぞれ極値を示す焦点距離データを記憶させ、ｆｐ（５）にはテレ位置を示す焦点距離データを記憶させる。
【０１１３】
そして、ＳＰ（０）からＳＰ（５）までには、ｆｐ（０）からｆｐ（５）に示された各焦点距離での基準位置調整値を記憶させる。つまり、ｆｐ（５）にテレ位置の焦点距離データ、ＳＰ（５）にテレ位置での基準位置調整値を記憶することで、基準位置の調整を行った数が決定することになる。
【０１１４】
本実施の形態では、組立製造時にΔＦＣ特性の測定を行った結果、極値が４つの場合であるので、前述した表１の調整位置焦点距離データ群の内ｆｐ（０）からｆｐ（５）までと、表２の基準位置調整値群の内ＳＰ（０）からＳＰ（５）までを記憶領域として使用することとなる。
【０１１５】
本発明に係る実施の形態においては、調整位置焦点距離データとしてｆｐ（０）からｆｐ（１５）までの１６種類の焦点距離データと、これらの焦点距離位置にそれぞれ対応するＳＰ（０）からＳＰ（１５）までの１６種類の基準位置データ等をＥＥＰＲＯＭ２内部に記憶できるように説明したが、これに限定されるものではなく、さらに詳細に各データを記憶しても良い。また、必要であればさらに他の情報を記憶し、用いるように構成しても良い。
【０１１６】
以上述べたように、本発明の実施の形態によれば、基準位置の調整を行う焦点距離データと基準位置調整値とをカメラ内部のＥＥＰＲＯＭ２内に記憶しているので、調整を行う焦点距離位置と数を任意に設定することが可能である。従って、設計段階で予測困難な合焦レンズのΔＦＣ特性に対して柔軟に対応することができ、より高精度のピント合わせの可能なズーム式カメラの実現が可能となる。
【０１１７】
また、上記実施の形態においては、極値を示す焦点距離データと該焦点距離における調整値を記憶手段に記憶するようにしたが、以下に示す変形実施も可能である。
【０１１８】
（１）ズームレンズの設計、組立バラツキ、部品バラツキによっては、一部の焦点距離領域で大きなズレが生じ場合がある。例えば図７（ａ）においては、ΔＦＣ値のＳＰ（０）からの移動量は、ワイド位置から焦点距離ｆｐ（２）までは小さく、焦点距離ｓｐ（３）からテレ位置（ｆｐ（５））までは大きい。このような場合には、ヒント位置の移動量が所定値よりも大きい焦点距離範囲の一部の領域での焦点距離データと調整値とを、記憶手段に記憶するようにしてもよい。また、上記移動量の比が所定値以上となる領域での焦点距離データと調整値とを記憶するようにしてもよい。
【０１１９】
（２）ズームレンズの設計によっては、望遠側（テレ側）の焦点距離領域で大きなズレが生じ場合がある。例えば図７（ａ）においては、ΔＦＣ値のＳＰ（０）からの移動量は、ワイド位置から焦点距離ｆｐ（２）までは小さく、焦点距離ｓｐ（３）からテレ位置（ｆｐ（５））までは大きい。このような場合には、所定の焦点距離（例えばｆｐ（２））よりも望遠側の領域での焦点距離データと調整値とを、記憶手段に記憶するようにしてもよい。また、このようなズームレンズにおいては、全ての焦点距離領域でΔＦＣ値を測定せずに、所定の一部の領域だけを測定ようにしてもよい。そうすることにより、測定時間の短縮が図られる。  このように、カメラにおける撮影可能な焦点距離領域の少なくとも一部の領域での焦点距離データと調整値とを、記憶手段に記憶することにより、繰り出し量の演算を高速化することができる。
【０１２０】
（３）始めに初期位置から基準位置までの繰り出し量を求め（第１演算）、次に、上記基準位置から合焦位置までの繰り出し量を求める（第２演算）。そして、上記２つの繰り出し量を加算して最終繰り出し量を決定している（第３演算）。ここで、上記第２演算については、表３に示したテーブルを用いる演算に代えて、所定の演算式を用いるようにしてもよい。
【０１２１】
なお、本発明は、上記実施の形態に限定されるもものではなく、その応用も本発明に含まれるものである。上記実施の形態に係るカメラはフィルムを使用するカメラであるが、撮像素子で撮像するデジタルカメラやビデオカメラなどの電子カメラ、テレビ用カメラ、携帯電話や情報携帯端末に接続したり搭載するカメラ、遠隔観察や遠隔撮影を行うカメラなど、多岐にわたるカメラへの応用が可能である。
【図面の簡単な説明】
【０１２２】
【図１】本発明のズームレンズ付きカメラの一実施形態を示し、該カメラの電気的構成を示すブロック図。
【図２】図１に示すカメラのメインルーチンを示すフローチャート。
【図３】図２に示すレリーズ処理のサブルーチンを示すフローチャート。
【図４】図３に示すレンズ繰り出し量演算処理のサブルーチンを示すフローチャート。
【図５】図４に示す基準位置繰り出し量算出処理のサブルーチンを示すフローチャート。
【図６】図４に示す基準位置から合焦位置までの繰り出し量算出処理のサブルーチンを示すフローチャート。
【図７】本実施の形態の特徴となるカメラの組立製造時の、基準位置の調整値の決定方法を説明するための特性図。
【符号の説明】
【０１２３】
１…ＣＰＵ
２…ＥＥＰＲＯＭ
３…ＥＸＴ端子
４…ＰＷＳＷ
５…ＢＫＳＷ
６…ＲＷＳＷ
７…１ＲＳＷ
８…２ＲＳＷ
９…ＺＵＳＷ
１０…ＺＤＳＷ
１２…ストロボ回路部
１５…測距回路部
１６…赤外発光ダイオード
１７…投光レンズ
１８…受光素子
１９…受光レンズ
２０…測光回路部
２３…ズーミング回路部
２５…ズーミング駆動信号回路部
２６…フォーカシング駆動回路部
２８…フォーカシング駆動信号検出回路部
２９…シャッター駆動回路部
３１…シャッタ駆動信号検出回路部
【図１】
2008026923.tif 000006
【図２】
2008026923.tif 000007
【図３】
2008026923.tif 000008
【図４】
2008026923.tif 000009
【図５】
2008026923.tif 000010
【図６】
2008026923.tif 000011
【図７】
2008026923.tif 000012